(57)【特許請求の範囲】
【請求項１】
リスナの頭部の所定位置に装着された筐体部と、
上記筐体部の一面に取り付けられ、上記筐体部が上記リスナの頭部に装着された際、上記リスナの外耳道入口との間に所定距離が設けられたスピーカユニットと、
上記スピーカユニットの前面から生じさせた音を上記リスナの外耳道入口近傍まで到達させるよう延長された管状ダクトと、
上記スピーカユニットの近傍に取り付けられたバイノーラル録音用のマイクロフォンと
を具え、
上記管状ダクトは、
上記筐体部から上記リスナの外耳道入口近傍まで延長されると共に再度上記筐体部へ戻る略Ｕ字状に形成され、上記リスナの上記外耳道入口近傍に放音用の孔部が設けられた
電気音響変換器。
【請求項２】
上記バイノーラル録音用のマイクロフォンは、無指向性タイプである
請求項１に記載の電気音響変換器。
【請求項３】
上記バイノーラル録音用のマイクロフォンは、ノイズキャンセル用のマイクロフォンと兼用する
請求項１に記載の電気音響変換器。
【請求項４】
上記バイノーラル録音用のマイクロフォンは、上記スピーカユニットそのものが当該マイクロフォンとして用いられる
請求項１に記載の電気音響変換器。
【請求項５】
リスナの頭部の所定位置に装着された筐体部と、上記筐体部の一面に取り付けられ、上記筐体部が上記リスナの頭部に装着された際、上記リスナの外耳道入口との間に所定距離が設けられたスピーカユニットと、上記スピーカユニットの前面から生じさせた音を上記リスナの外耳道入口近傍まで到達させるよう延長された管状ダクトと、上記スピーカユニットの近傍に取り付けられたバイノーラル録音用のマイクロフォンとを有する電気音響変換器と、
上記スピーカユニットと上記リスナの外耳道入口との間に上記所定距離が設けられるよう上記電気音響変換器を上記リスナの頭部に装着させる装着部と
を具え、
上記管状ダクトは、
上記筐体部から上記リスナの外耳道入口近傍まで延長されると共に再度上記筐体部へ戻る略Ｕ字状に形成され、上記リスナの上記外耳道入口近傍に放音用の孔部が設けられた
イヤースピーカ装置。
【発明の詳細な説明】
【技術分野】
【０００１】
本発明は電気音響変換器及びイヤースピーカ装置に関し、例えば頭部装着型のウェアラブルスピーカ装置に適用して好適なものである。
【背景技術】
【０００２】
従来、頭部装着型のウェアラブルスピーカ装置の一例であるヘッドホン装置においては、リスナの頭部に装着された状態でＣＤ（Compact Disc）の再生音声等を表すオーディオ信号を音（以下、これを再生音と呼ぶ）に変換し、これを当該リスナに聴取させるようになされたものが広く普及している。
【０００３】
一般的なヘッドホン装置では、再生音を発生させるスピーカユニットがリスナの外耳道入口の正面付近に位置するようになされており、当該スピーカユニットから鼓膜に対して直接的に音を到達させることにより音質を向上し得るものの、音像をリスナの頭内に定位させることになり当該リスナに不自然な印象を与えてしまっていた。
【０００４】
このためヘッドホン装置の中には、スピーカユニットを外耳道入口（耳孔）からやや離隔させ前頭部側へ位置させることにより、一般的な据置型のスピーカを用いた場合のように音像を頭外に定位させることにより不自然感を払拭させると共に、リスナの耳の周囲に密閉空間を形成した密閉型とすることにより充分な低音を聴取させ得るよう考慮されたものが考案されている（例えば、特許文献１参照）。
【特許文献１】特許第３０５４２９５号明細書（第３頁、第１図）
【発明の開示】
【発明が解決しようとする課題】
【０００５】
ところで、かかる構成のヘッドホン装置においては、スピーカユニットを外耳道入口（耳孔）からやや離隔させ前頭部側へ位置させたとしても、リスナが聴取するコンテンツの再生音声等がステレオソースの音源である場合、音像がリスナの頭内に定位してしまうことになり、不自然感を払拭させることは出来ないという問題があった。
【０００６】
本発明は以上の点を考慮してなされたもので、自然な音像定位を与えながら高品質な再生音をリスナに聴取させ得る電気音響変換器及びイヤースピーカ装置を提案しようとするものである。
【課題を解決するための手段】
【００１１】
かかる課題を解決するため本発明においては、リスナの頭部の所定位置に装着された筐体部と、筐体部の一面に取り付けられ、筐体部がリスナの頭部に装着された際、リスナの外耳道入口との間に所定距離が設けられたスピーカユニットと、スピーカユニットの前面から生じさせた音をリスナの外耳道入口近傍まで到達させるよう延長された管状ダクトと、スピーカユニットの近傍に取り付けられたバイノーラル録音用のマイクロフォンとを設け、さらに管状ダクトは、筐体部からリスナの外耳道入口近傍まで延長されると共に再度筐体部へ戻る略Ｕ字状に形成され、リスナの外耳道入口近傍に放音用の孔部が設けられるようにした。
【００１２】
これにより、実際にリスナが再生音声を聴取するスピーカユニットの近傍に設けられたバイノーラル録音用のマイクロフォンを用いて音源からの音を集音してバイノーラル録音することができるので、その再生音声については従来に比して一段と自然な音像定位を与えながら、管状ダクトを介してスピーカユニットによって生じさせた主に中高音をリスナの外耳道入口近傍から外耳道内の鼓膜へ直接到達させることができる。
【発明の効果】
【００１５】
本発明によれば、実際にリスナが再生音声を聴取するスピーカユニットの近傍に設けられたバイノーラル録音用のマイクロフォンを用いて音源からの音を集音してバイノーラル録音することができるので、その再生音声については従来に比して一段と自然な音像定位を与えながら、管状ダクトを介してスピーカユニットによって生じさせた主に中高音をリスナの外耳道入口近傍から外耳道内の鼓膜へ直接到達させ得る電気音響変換器及びイヤースピーカ装置を実現することができる。
【発明を実施するための最良の形態】
【００１６】
以下、図面について、本発明の一実施の形態を、第１の実施の形態と第２の実施の形態とに分けて詳述する。
【００１７】
（１）第１の実施の形態
（１−１）イヤースピーカ装置の構成
図１、図２及び図３において、１は全体として第１の実施の形態におけるイヤースピーカ装置を示し、ポータブルＣＤ（Compact Disc）プレーヤやＤＭＰ（Digital Music Player）の再生処理等により生成されたオーディオ信号を再生音に変換し、これをリスナに聴取させるようになされている。
【００１８】
イヤースピーカ装置１は、一般的な箱形のスピーカ装置とは異なり、ヘッドホン装置と同様にリスナの頭部に装着されることを前提としており、大きく分けてオーディオ信号を再生音に変換する電気音響変換部２Ｌ及び２Ｒと、当該電気音響変換部２Ｌ及び２Ｒをリスナの頭部に装着して固定させるためのバンド部３とにより構成されている。
【００１９】
電気音響変換部２Ｌ及び２Ｒは、球体が垂直方向に４等分されたような形状でなる筐体部４Ｌ及び４Ｒを中心に構成されている。筐体部４Ｌ及び４Ｒは、それぞれ後面側及び左右内側に平面部分が形成されており、左右内側にはリスナの頭部に対する側圧を和らげるためのパッド部５Ｌ及び５Ｒが取り付けられている。
【００２０】
筐体部４Ｌ及び４Ｒの後面側における平面部分であるバッフル板４ＡＬ及び４ＡＲには、オーディオ信号を再生音に変換するスピーカユニット７Ｌ及び７Ｒが取り付けられている。このスピーカユニット７Ｌ及び７Ｒは、ポータブルＣＤプレーヤやＤＭＰ等から接続ケーブル６を介して供給されるオーディオ信号に応じて、振動板を振動させることにより放音するようになされている。
【００２１】
また筐体部４Ｌ及び４Ｒのバッフル板４ＡＬ及び４ＡＲには、金属製でなり、所定太さを有する中空の部材が側面略Ｕ字状に曲げられた管状ダクト８Ｌ及び８Ｒが取り付けられている。この管状ダクト８Ｌ及び８Ｒは、図１に示したように、外端部がそれぞれ左右内側方向に曲げられており、さらに後側先端部のほぼ中央にそれぞれ孔部８ＡＬ及び８ＡＲが設けられている。
【００２２】
バンド部３は、中央部３Ａを中心に一般的な人間の頭部の形状に合わせて上に凸の略アーチ型に形成されていると共に、当該中央部３Ａに対して伸縮自在に摺動し得るアジャスト部３ＢＬ及び３ＢＲによりバンド部３全体の長さを調整し得るようになされている。
【００２３】
またバンド部３は、一般的な人間の頭部の形状よりも小さい径のアーチ型に形成されていると共に弾性力を有しており、リスナに装着される際に筐体部４Ｌ及び４Ｒを左右に広げながら装着されると、装着後に当該弾性力の作用によって元の形状に戻ろうとするため、筐体部４Ｌ及び４Ｒを当該リスナの頭部に対して当接させた状態で保持させるようになされている。
【００２４】
なお、イヤースピーカ装置１は、図１〜図３に示したようにほぼ左右対称に構成されているため、以下では主に左側の電気音響変換部２Ｌを例に説明する。
【００２５】
実際上、イヤースピーカ装置１は、図４の左側面図に示すように、バンド部３における長さが調整された上でリスナの頭部１００に装着されることにより、アジャスト部３ＢＬの下端側に取り付けられた電気音響変換部２Ｌをリスナの頭部における耳介１０１Ｌよりもやや前方に位置させるようになされている。
【００２６】
これによりイヤースピーカ装置１の電気音響変換部２Ｌは、スピーカユニット７Ｌから放射された中高音を直接リスナの外耳道内部へ到達させると共に、当該リスナの頬や耳介１０１Ｌ等で反射された反射音も外耳道内部へ到達させることができるため、一般的な据置型スピーカを介して聴取した場合と同様の、自然な音像定位を与え得るようになされている。
【００２７】
このときイヤースピーカ装置１は、リスナに対して正常に装着された際、スピーカユニット７Ｌが耳介１０１Ｌ及び外耳道入口１０２Ｌのやや前方に位置し、管状ダクト８Ｌの孔部８ＡＬが外耳道入口１０２Ｌの近傍に位置するようになされている。
【００２８】
因みに管状ダクト８Ｌは、その先端が略Ｕ字状に形成されているため、リスナの外耳道内へ入り込まないようになされている。これによりイヤースピーカ装置１は、当該リスナがイヤースピーカ装置１の装着時等に、誤って管状ダクト８Ｌにより当該外耳道内を傷つけてしまうことを未然に防止し得るようになされている。
【００２９】
ここで図４におけるＱ１−Ｑ２断面を図５に示すように、筐体部４Ｌはスピーカユニット７Ｌが取り付けられた状態で管状ダクト８Ｌを除き密閉された空間を形成しており、スピーカユニット７Ｌに対して筐体部４Ｌ及び当該管状ダクト８Ｌにより共振回路を形成するようになされている。
【００３０】
また管状ダクト８Ｌは、筐体部４Ｌの内部から筐体部４Ｌのバッフル板４ＡＬを貫通してリスナの外耳道入口１０２Ｌの近傍に到達している。実際上、電気音響変換部２Ｌは、管状ダクト８Ｌをバスレフダクトとして作用させることにより、全体としてバスレフ型のスピーカとして動作するようになされている。
【００３１】
ところで、一般的なバスレフ型スピーカでは、ダクトが筐体の内部のみに設けられ、外部へは延長しないようになされている。そこで、電気音響変換部２Ｌとの比較用に、図５の対応部分に同一符号を付した図６に示すような電気音響変換部１２Ｌを想定する。
【００３２】
この電気音響変換部１２Ｌ（図６）は、一般的なバスレフ型スピーカと同様に構成されており、電気音響変換部２Ｌの管状ダクト８Ｌ（図５）に代えて、筐体部４Ｌの内側のみに２本の管状ダクト１８Ｌ及び１９Ｌを有している。
【００３３】
この電気音響変換部１２Ｌの場合、スピーカユニット７Ｌの位置を仮想的な音源の位置（以下、これを仮想音源位置と呼ぶ）ＰＭと見なしたときの、当該スピーカユニット７Ｌから放射された中高音がリスナの鼓膜１０３Ｌに到達するまでの経路長ＥＭと、孔部１８ＡＬ及び１９ＡＬを仮想音源位置ＰＬ２と見なしたときの、管状ダクト１８Ｌ内及び１９Ｌ内を伝わり当該孔部１８ＡＬ及び１９ＡＬから放射された低音がリスナの鼓膜１０３Ｌに到達するまでの経路長ＥＬ２とを比較すると、経路長ＥＭ≒経路長ＥＬ２となっている。
【００３４】
ここで、電気音響変換部１２Ｌにより鼓膜１０３Ｌに到達する音の周波数特性を図７に示す。この図７に示すように、一般的なバスレフ型の電気音響変換部１２Ｌは、スピーカユニット７Ｌから放射される、特性曲線ＳＭに示すような周波数特性でなる中高音と、管状ダクト１８Ｌ内及び１９Ｌ内を伝わり孔部１８ＡＬ及び１９ＡＬから放射される、特性曲線ＳＬ２に示すような周波数特性でなる低音とを合わせてリスナの鼓膜１０３Ｌまで到達させることになる。
【００３５】
これにより電気音響変換部１２Ｌは、特性曲線ＳＭ及び特性曲線ＳＬ２が合成された特性曲線ＳＧ２に示すように、特性曲線ＳＭにおける低音域の音圧レベルがある程度上昇された再生音をリスナに聴取させることができる。
【００３６】
一方、本発明による電気音響変換部２Ｌ（図５）では、スピーカユニット７Ｌを仮想音源位置ＰＭとみなしたときの、当該スピーカユニット７Ｌから放射された中高音がリスナの鼓膜１０３Ｌに到達するまでの経路長ＥＭと、孔部８ＡＬを仮想音源位置ＰＬ１と見なしたときの、管状ダクト８Ｌ内を伝わり当該孔部８ＡＬから放射された低音がリスナの鼓膜１０３Ｌに到達するまでの経路長ＥＬ１とを比較すると、経路長ＥＭ＞経路長ＥＬ１となっている。
【００３７】
ここで、電気音響変換部２Ｌにより鼓膜１０３Ｌに到達する音の周波数特性を図８に示す。電気音響変換部２Ｌは、上述したようにバスレフ型スピーカの一種であるため、図７に示した場合と同様、スピーカユニット７Ｌから放射される、特性曲線ＳＭに示すような周波数特性でなる中高音と、管状ダクト８Ｌを伝わり孔部８ＡＬから放射される、特性曲線ＳＬ１に示すような周波数特性でなる低音とを合わせてリスナの鼓膜１０３Ｌまで到達させることになる。
【００３８】
ところで、一般に音源からの距離と音圧レベルとは反比例の関係にある。ここで電気音響変換部２Ｌ（図５）と電気音響変換部１２Ｌ（図６）との経路長を比較すると、経路長ＥＬ１＜経路長ＥＬ２の関係となる。
【００３９】
すなわち電気音響変換部２Ｌ（図５）は、仮想音源位置ＰＬ１が電気音響変換部１２Ｌ（図６）の仮想音源位置ＰＬ２よりもリスナの外耳道入口１０２Ｌ近傍に位置しているため、管状ダクト８Ｌ内を伝わり孔部８ＡＬ（仮想音源位置ＰＬ１）から放射される低音を、電気音響変換部１２Ｌの場合よりも高い音圧レベルで鼓膜１０３Ｌまで到達させ得るようになされている。
【００４０】
すなわち、２つの特性曲線ＳＬ１及びＳＬ２を重ねた図９に示すように、管状ダクト８Ｌによる低音の特性曲線ＳＬ１は、経路長ＥＬ１＜経路長ＥＬ２の関係により、管状ダクト１８Ｌ及び１９Ｌによる低音の特性曲線ＳＬ２と比較して全体的な音圧レベルが高くなる。
【００４１】
この結果、第１の実施の形態における電気音響変換部２Ｌは、特性曲線ＳＭ及び特性曲線ＳＬ１が合成された特性曲線ＳＧ１に示すように、特性曲線ＳＭにおける低音域の音圧レベルが電気音響変換部１２Ｌの場合（特性曲線ＳＧ２）よりも上昇された、比較的低い周波数帯まで十分な音圧レベルの再生音をリスナに聴取させ得るようになされている。
【００４２】
ここで特性曲線ＳＧ１と特性曲線ＳＧ２とを比較すると、特性曲線ＳＧ２では低音域側へ進むに連れて比較的急峻に音圧レベルが低下しているのに対して、特性曲線ＳＧ１では低音域側へ進むに連れて音圧レベルの低下度合いが緩やかになっていることが分かる。
【００４３】
すなわち電気音響変換部２Ｌは、電気音響変換部１２Ｌと比較して、広い周波数帯域に渡って高い音圧レベルでなる、すなわち充分な低音域が含まれる良好な再生音をリスナの鼓膜１０３に伝達して聴取させ得るようになされている。
【００４４】
この場合、電気音響変換部２Ｌは、図４及び図５に示したように、リスナの外耳道入口１０２Ｌの近傍に管状ダクト８Ｌの外端部を位置させるものの、当該外耳道入口１０２Ｌを完全には閉塞しない。
【００４５】
このため電気音響変換部２Ｌは、スピーカユニット７Ｌから放射する中高音及び管状ダクト８Ｌの孔部８ＡＬから放射する低音を合わせた再生音に加えて、リスナの周囲で発生した音（以下これを周囲音と呼ぶ）を遮断することなく当該リスナの鼓膜１０３Ｌまで到達させ聴取させ得るようになされている。
【００４６】
因みに電気音響変換部２Ｌは、筐体部４Ｌの内容積が１０［ｍｌ］、スピーカユニット７Ｌの外径が２１［ｍｍ］、当該スピーカユニット７Ｌの振動板における有効振動半径が８．５［ｍｍ］、振動系の等価質量が０．２［ｇ］、最低共振周波数ｆ０が３６０［Ｈｚ］、共振のＱ０が１．０とされている。
【００４７】
また管状ダクト８Ｌは、内径が１．８［ｍｍ］、当該管状ダクト８Ｌの筐体部４Ｌ内に位置する内部端８ＢＬから孔部８ＡＬまでの有効長が５０［ｍｍ］、バッフル板４ＡＬの表面から孔部８ＡＬまでの距離が約３５［ｍｍ］とされている。
【００４８】
ここで管状ダクト８Ｌは、その側面がＵ字状に形成され、外端部の中央に孔部８ＡＬが設けられているため、実質的に上半分及び下半分による２本のバスレフダクトを構成しているのと同じであり、当該管状ダクト８Ｌを１本の管状ダクトに換算した場合の内径（この場合は約２．５［ｍｍ］に相当する）が考慮された上で、その内径及び有効長が決定されている。
【００４９】
すなわち管状ダクト８Ｌは、側面Ｕ字状に形成されたことにより、１本の管状ダクトとした場合に比べてその有効長を短く設定し得ると共に、デザイン性及び安全性を大きく向上させ得るようになされている。
【００５０】
この電気音響変換部２Ｌ（図５）及び電気音響変換部１２Ｌ（図６）について、人間の耳介及び外耳道を模した測定用治具を用いて実際の周波数特性を測定したところ、図１０に示すような特性曲線ＳＧ１１（電気音響変換部２Ｌの場合）及び特性曲線ＳＧ１２（電気音響変換部１２Ｌの場合）が得られた。
【００５１】
この図１０では、図９に示した理論的な周波数特性と同様、およそ５００［Ｈｚ］以下の低音域において、電気音響変換部２Ｌの特性曲線ＳＧ１１が電気音響変換部１２Ｌの特性曲線ＳＧ１２よりも高い音圧レベルとなっている。すなわち、実際に電気音響変換部２Ｌがリスナに対して充分な低音を含む良好な再生音を聴取させ得ることが示されている。
【００５２】
このようにイヤースピーカ装置１は、リスナの頭部１００に装着された際、スピーカユニット７Ｌをリスナの外耳道入口１０２Ｌからやや離れた場所に位置させ、そのスピーカユニット７Ｌから再生音の中高音を放射すると共に、筐体部４Ｌから当該外耳道入口１０２Ｌの近傍まで延長されバスレフダクトとして作用する管状ダクト８Ｌの孔部８ＡＬから再生音の低音を放射することにより、自然な音像定位を与えながら充分な低音を含む良好な再生音を当該リスナに聴取させ得るようになされている。
【００５３】
なお、上述したイヤースピーカ装置１の筐体部４Ｌ及び４Ｒ（図１及び図２）には、バッフル板４ＡＬ及び４ＡＲに設けられたスピーカユニット７Ｌ及び７Ｒと同一面上であって、そのスピーカユニット７Ｌ及び７Ｒと隣接した位置に無指向性でなるバイノーラル録音用のマイクロフォンＭＦ１Ｌ及びＭＦ１Ｒが取り付けられている。
【００５４】
ここでバイノーラル録音とは、ダミーヘッド或いはリスナの実際の耳に取り付けられた２つのマイクロフォンによって頭部伝達関数の影響を受けた状態で音声を収録する録音方法である。
【００５５】
このバイノーラル録音では、収録された音声をイヤースピーカ装置１のスピーカユニット７Ｌ及び７Ｒで再生出力した場合、ダミーヘッド或いはリスナの実際の耳で聴いた左右の音声が混ざり合うことなく、そっくりそのままリスナの耳に到達するため、あたかもリスナ自身がその場に居合わせたかのような臨場感を得ることができることを特徴とするものである。
【００５６】
すなわち、バイノーラル録音では、リスナが実際に音源からの音声を聴いているかのような状態で録音することが出来るため、理想的な音像定位を実現することが可能である。
【００５７】
従ってイヤースピーカ装置１では、バイノーラル録音された音声コンテンツの再生音声をスピーカユニット７Ｌ及び７Ｒから出力することにより、自然な音像定位を与えながら管状ダクト８Ｌ及び８Ｒの孔部８ＡＬ及び８ＡＲを介して充分な低音を含む良好な再生音を当該リスナに聴取させ得るようになされている。
【００５８】
因みに、マイクロフォンＭＦ１Ｌ及びＭＦ１Ｒの取付位置としては、この場所に限られるものではなく、無指向性である以上、スピーカユニット７Ｌ及び７Ｒの近傍であれば、例えば当該スピーカユニット７Ｌ及び７Ｒと同一平面上ではない筐体４Ｌ及び４Ｒの表面上の所定位置であってもよい。
【００５９】
またイヤースピーカ装置１においては、バイノーラル録音用のマイクロフォンＭＦ１Ｌ及びＭＦ１Ｒを新たに設けるのではなく、同じ位置に取り付けられたノイズキャンセル用のマイクロフォンをモード切り替えによりバイノーラル録音用のマイクロフォンＭＦ１Ｌ及びＭＦ１Ｒとして用いるようにしてもよい。
【００６０】
更に、イヤースピーカ装置１では、バイノーラル録音用のマイクロフォンＭＦ１Ｌ及びＭＦ１Ｒを新たに設けるのではなく、モード切り替えにより、スピーカユニット７Ｌ及び７Ｒをバイノーラル録音用のマイクロフォンＭＦ１Ｌ及びＭＦ１Ｒとして用いるようにしてもよい。
【００６１】
（１−２）他のイヤースピーカ装置の構成例
ところで、第１の実施の形態におけるイヤースピーカ装置１は、図１〜４に示したように、装着部としてのバンド部３により電気音響変換部２Ｌ及び２Ｒをリスナの頭部１００に装着するようになされているが、このバンド部３に代えて他の種々の装着部を用いることにより電気音響変換部２Ｌ及び２Ｒをリスナの頭部１００に装着するようにしても良い。
【００６２】
なお、以下では、上述したイヤースピーカ装置１の場合と同様、主に左側の電気音響変換部２Ｌを例に説明するが、右側の電気音響変換部２Ｒについては、当該左側の電気音響変換部２Ｌと左右対称に構成されているものとする。
【００６３】
例えば図１１に示すイヤースピーカ装置２０は、いわゆるイヤークリップ型として構成されており、イヤースピーカ装置１（図１〜図４）におけるバンド部３に代えて、リスナの耳介１０１Ｌに引っ掛けるためのイヤークリップ２１Ｌが電気音響変換部２Ｌの筐体部４Ｌに取り付けられている。
【００６４】
このイヤースピーカ装置２０は、イヤークリップ２１Ｌがリスナの耳介１０１Ｌに引っ掛けられることにより電気音響変換部２Ｌをリスナの頭部１００に装着することができ、イヤースピーカ装置１と同様、自然な音像定位を与えながら充分な低音を含む良好な再生音を当該リスナに聴取させ得るようになされている。
【００６５】
また図１２に示すイヤースピーカ装置３０は、所謂アンダーチン型として構成されており、イヤースピーカ装置１（図１〜図４）におけるバンド部３に代えて、左右の電気音響変換部２Ｌ及び２Ｒを接続すると共にリスナの耳介１０１Ｌに引っ掛けるためのバンド部３１が筐体部４Ｌに取り付けられている。このバンド部３１の中央部３１Ａは、下に凸の略アーチ状に形成され、リスナの顎の下を通って左右に渡されることを前提としている。
【００６６】
このイヤースピーカ装置３０（図１２）は、バンド部３１の耳掛部３１ＢＬがリスナの耳介１０１Ｌに引っ掛けられることにより電気音響変換部２Ｌをリスナの頭部１００に装着することができ、イヤースピーカ装置１と同様、自然な音像定位を与えながら充分な低音を含む良好な再生音を当該リスナに聴取させ得るようになされている。
【００６７】
さらに図１３に示すイヤースピーカ装置４０は、所謂ショルダーホールド型として構成されており、イヤースピーカ装置１（図１〜図４）におけるバンド部３に代えて、左右の電気音響変換部２Ｌ及び２Ｒを接続すると共にリスナの肩部から支持するショルダーアーム４１が筐体部４Ｌに取り付けられている。このショルダーアーム４１の中央部４１Ａは、後ろに凸の略アーチ状に形成され、リスナの首の後ろから肩の上部に引っ掛けて左右に渡されることを前提としている。
【００６８】
このイヤースピーカ装置４０（図１３）は、リスナの両肩に渡って引っ掛けられることにより電気音響変換部２Ｌをリスナの頭部１００に装着することができ、イヤースピーカ装置１と同様、自然な音像定位を与えながら充分な低音を含む良好な再生音を当該リスナに聴取させ得るようになされている。
【００６９】
さらに図１４に示すイヤースピーカ装置５０は、所謂ネックバンド型として構成されており、イヤースピーカ装置１（図１〜図４）におけるバンド部３に代えて、左右の電気音響変換部２Ｌ及び２Ｒを接続すると共にリスナの耳介１０１Ｌに掛けるためのバンド部５１が筐体部４Ｌに取り付けられている。このバンド部５１の中央部５１Ａは、後ろに凸の略アーチ状に形成され、リスナの後頭部の後ろ側で渡されることを前提としている。
【００７０】
このイヤースピーカ装置５０（図１４）は、バンド部５１の耳掛部５１ＢＬがリスナの耳介１０１Ｌに引っ掛けられることにより電気音響変換部２Ｌをリスナの頭部１００に装着することができ、イヤースピーカ装置１と同様、自然な音像定位を与えながら充分な低音を含む良好な再生音を当該リスナに聴取させ得るようになされている。
【００７１】
さらに図１５に示すイヤースピーカ装置６０は、図１４に示したイヤースピーカ装置５０における電気音響変換部２Ｌをリスナの耳介１０１よりも後方に位置させると共に、管状ダクト８Ｌに代えて略Ｌ字状でなる管状ダクト６８Ｌがリスナの耳介１０１Ｌの後方に位置する筐体部４Ｌから外耳道入口１０２Ｌの近傍まで延長されている。また左右の電気音響変換部２Ｌ及び２Ｒは、リスナの首の後ろ側で渡されるバンド部６１により接続されている。
【００７２】
このイヤースピーカ装置６０（図１５）は、管状ダクト６８Ｌがリスナの耳介１０１Ｌに引っ掛けられることにより電気音響変換部２Ｌをリスナの頭部１００に装着することができ、イヤースピーカ装置１と同様、自然な音像定位を与えながら充分な低音を含む良好な再生音を当該リスナに聴取させ得るようになされている。
【００７３】
さらに図１６に示すイヤースピーカ装置７０は、電気音響変換部２Ｌに加えて、上述した電気音響変換部１２Ｌ（図６）と同様の構成でなる後方電気音響変換部７２Ｌを有しており、イヤースピーカ装置１（図１〜図４）におけるバンド部３に代わるバンド部７１により、電気音響変換部２Ｌを耳介１０１Ｌの前方に位置させると共に、後方電気音響変換部７２Ｌを当該耳介１０１Ｌの後方に位置させるようになされている。
【００７４】
因みに、後方電気音響変換部７２Ｌには、４チャンネルや５．１チャンネル等のマルチチャンネル音源におけるリアチャンネル用の音声信号が供給されるようになされている。
【００７５】
このイヤースピーカ装置７０（図１６）は、リスナの頭部１００に装着されることにより、電気音響変換部２Ｌ及び後方電気音響変換部７２Ｌを当該リスナの頭部１００に装着することができ、電気音響変換部２Ｌ及び後方電気音響変換部７２Ｌの間に耳介１０１Ｌを挟み込んだ状態で、自然な音像定位を与えながら、サラウンド音でなり充分な低音を含む良好な再生音を当該リスナに聴取させ得るようになされている。
【００７６】
またこの場合、イヤースピーカ装置７０（図１６）では、バンド部７１に加振器７５を取り付け、例えば５．１チャンネル音源における重低音成分に応じた振動をリスナの頭部１００に加えるようにしても良い。
【００７７】
なおイヤースピーカ装置７０（図１６）は、電気音響変換部２Ｌから管状ダクト８Ｌをリスナの外耳道入口１０２Ｌ近傍まで延長する以外にも、イヤースピーカ装置６０（図１５）と同様、後方用電気音響変換部７２Ｌから管状ダクトをリスナの外耳道入口１０２Ｌ近傍まで延長するようにしたり、或いは電気音響変換部２Ｌ及び後方用電気音響変換部７２Ｌの両方から管状ダクトをリスナの外耳道入口１０２Ｌ近傍まで延長するようにしても良い。
【００７８】
さらに図１７に示すイヤースピーカ装置８０は、イヤースピーカ装置１（図１〜図４）におけるバンド部３に代えて、左右の電気音響変換部２Ｌ及び２Ｒを接続すると共にリスナの頬よりも前側に位置させるためのバンド部８１が筐体部４Ｌに取り付けられている。
【００７９】
また筐体部４Ｌには、管状ダクト８Ｌに代えて筐体部４Ｌからリスナの外耳道入口１０２Ｌ近傍まで延長された管状ダクト８８Ｌが設けられている。なお、管状ダクト８８Ｌは、再生音における良好な低音を孔部８８ＡＬから放射するべく、その内径や音の経路長等が適切に計算されている。
【００８０】
このイヤースピーカ装置８０（図１７）は、リスナの頭部１００に装着されることにより、筐体部４Ｌを当該リスナの頬よりも前方に位置させることができる。この場合、スピーカユニット７Ｌから放射された中高音は、当該リスナの頬等において反射されることによりその特性が変化するため、イヤースピーカ装置１の場合と比較して、一般的な据置型のスピーカから放射された音に一層近づけられることになる。これによりイヤースピーカ装置８０は、一段と自然な定位感を与え得る再生音をリスナに聴取させることができる。
【００８１】
このように本発明では、イヤースピーカ装置１のバンド部３（図１〜図４）以外にも、イヤースピーカ装置２０〜８０（図１１〜図１７）のような種々の方式でなる装着部により、電気音響変換部２Ｌ及び２Ｒをリスナの頭部１００に対して装着させるようにしても良い。
【００８２】
（１−３）第１の実施の形態における動作及び効果
以上の構成において、イヤースピーカ装置１は、リスナの頭部１００に装着されることにより、電気音響変換部２Ｌの筐体部４Ｌに設けられたスピーカユニット７Ｌを当該リスナの外耳道入口１０２Ｌよりもやや前方に位置させると共に、当該筐体部４Ｌから後方に延長されバスレフダクトとして作用する管状ダクト８Ｌの先端部分を外耳道入口１０２Ｌの近傍に位置させた状態で、所定のアンプから供給される音声信号に基づいた再生音を出力する。
【００８３】
このときイヤースピーカ装置１の電気音響変換部２Ｌ（図５）では、スピーカユニット７Ｌから放射される中高音がリスナの鼓膜１０３Ｌに到達するまでの経路長ＥＭよりも、管状ダクト８Ｌの孔部８ＡＬから放射される低音が当該鼓膜１０３Ｌに到達するまでの経路長ＥＬ１を短くなるため、特性曲線ＳＭ（図７）に示したような中高音に対して、特性曲線ＳＬ１に示したように比較的音圧レベルが高い低音を当該鼓膜１０３Ｌに到達させることができる。
【００８４】
従ってイヤースピーカ装置１の電気音響変換部２Ｌは、スピーカユニット７Ｌから放射された中高音を当該リスナの頬や耳介１０１Ｌ等で反射させて鼓膜１０３Ｌに到達させることができるので、一般的なスピーカを介して再生音を聴取する場合と似た特性の再生音を当該リスナに聴取させることができ、音像が頭外に位置しているような自然な定位感を与えることができる。
【００８５】
さらにイヤースピーカ装置１の電気音響変換部２Ｌは、管状ダクト８Ｌがリスナの外耳道入口１０２Ｌ近傍まで延長されていることにより、特性曲線ＳＧ１（図９）及び特性曲線ＳＧ１１（図１０）に示したような、低音域まで比較的充分な音圧レベルでなる良好な再生音をリスナに聴取させることができる。
【００８６】
この場合、イヤースピーカ装置１の電気音響変換部２Ｌは、管状ダクト８Ｌがリスナの外耳道入口１０２Ｌ近傍まで延長されているため、一般的なバスレフ型の電気音響変換部２Ｌ（図６）において、管状ダクト１８Ｌ及び１９Ｌから出力される特性曲線ＳＬ２（図７）のような低音と比較して、特性曲線ＳＬ１（図７）のような音圧レベルが大きい低音をリスナの鼓膜１０３Ｌに到達させることができ、その結果スピーカユニット７Ｌの口径が比較的小さく外耳道入口１０２Ｌからやや離れていることにより不足しがちな低音を、十分な音圧レベルでリスナに聴取させることができる。
【００８７】
さらにイヤースピーカ装置１は、低音の再生音量を上げるのではなく、低音の放射口である管状ダクト８Ｌの孔部８ＡＬを鼓膜１０３Ｌに近づけることによりリスナの鼓膜１０３Ｌ（図５）に充分な低音を到達させているため、例えば大口径のスピーカやサブウーファー等を用いて低音を再生するような場合と比較して、周囲に漏れる低音や振動をほぼ皆無にすることができる。
【００８８】
従って、例えばリスナが深夜にイヤースピーカ装置１を介して再生音を聴取する場合等に、近隣や周囲への迷惑を殆ど気にすることなく、充分な低音が含まれる良好な再生音を堪能することができる。
【００８９】
また管状ダクト８Ｌは、リスナの外耳道入口１０２Ｌを塞ぐことがないため、再生音と共に、当該リスナの周囲で発生した周囲音を遮断することなく鼓膜１０３Ｌに到達させて聴取させることができる。
【００９０】
これによりイヤースピーカ装置１では、リスナが歩行するときやスポーツを行うときなど、リスナが周囲音を聴取する必要がある場合にも、良好な再生音に加えて確実に周囲音を聴取させることができる。
【００９１】
またイヤースピーカ装置１は、従来の密閉型ヘッドホンのように、リスナの耳介１０１Ｌ等を電気音響変換部２Ｌによって覆ってしまうことがないため、密閉型ヘッドホンを装着したリスナが感じるような閉塞感や蒸れといった不快感を与えることがない。さらにイヤースピーカ装置１では、密閉空間を形成しないため、密閉型ヘッドホンを使用した場合に生じ得る、外耳道における共振周波数の変化を生じることもなく、リスナに違和感を与えることもない。
【００９２】
そのうえイヤースピーカ装置１は、低音の放射口である管状ダクト８Ｌの孔部８ＡＬを鼓膜１０３Ｌに近づけることによりリスナに十分な音量レベルの低音を聴取させ得るため、スピーカユニット７Ｌの口径を不必要に大きくする必要が無く、筐体部４Ｌの大きさを必要最小限に止めることができる。これによりイヤースピーカ装置１では、全体の大きさや重量を必要最小限に抑えることができるので、リスナがイヤースピーカ装置１を装着した際の大きさや重さによる煩わしさを極力抑えることができる。
【００９３】
以上の構成によれば、イヤースピーカ装置１は、リスナの頭部１００に装着された際、電気音響変換部２Ｌのスピーカユニット７Ｌを当該リスナの外耳道入口１０２Ｌよりもやや前方に位置させると共に、管状ダクト８Ｌの孔部８ＡＬを外耳道入口１０２Ｌの近傍に位置させた状態で再生音を出力することにより、バスレフダクトとして作用する管状ダクト８Ｌの孔部８ＡＬから放射する低音を十分な音圧レベルで鼓膜１０３に到達させることができるので、自然な音像定位を与えながら比較的低音域まで充分な音圧レベルでなる良好な再生音をリスナに聴取させることができる。
【００９４】
（１−４）第１の実施の形態に対する他の実施の形態
なお上述した第１の実施の形態においては、管状ダクト８Ｌが側面略Ｕ字状に形成され、孔部８ＡＬを境に２本のバスレフダクトとして機能させるようにした場合について述べたが、本発明はこれに限らず、当該管状ダクト８Ｌを１本や３本以上の管状ダクトによって構成するようにしても良い。
【００９５】
例えば図１８に示すように、イヤースピーカ装置９０の電気音響変換部９２Ｌにおいては、筐体部４Ｌからバスレフダクトとして機能する１本の管状ダクト９８Ｌが後方へ延長されるようにしても良く、さらに当該管状ダクト９８Ｌの先端部にリスナの外耳道入口１０２Ｌを傷つけないための保護部９９Ｌが取り付けられていても良い。この場合、保護部９９Ｌは、音を通しやすいスポンジ状の部材等で構成されることにより、周囲音を遮断せずリスナに聴取させることができる。
【００９６】
また第１の実施の形態においては、金属等の固い材料で形成された管状ダクト８Ｌを用いるようにした場合について述べたが、本発明はこれに限らず、可撓性を有する樹脂等の柔らかい材料で形成された管状ダクト８Ｌを用いるようにしても良い。
【００９７】
さらに第１の実施の形態においては、管状ダクト８Ｌが筐体部４Ｌのバッフル板４ＡＬを貫通するように設けられた場合について述べたが、本発明はこれに限らず、当該管状ダクト８Ｌが当該筐体部４Ｌにおける他の側面を貫通するよう設けられていても良い。
【００９８】
さらに第１の実施の形態においては、イヤースピーカ装置１がリスナの頭部１００（図４）に装着された際、スピーカユニット７Ｌの放音面がほぼ後方向を向くようにした場合について述べたが、本発明はこれに限らず、例えばスピーカユニット７Ｌの放音面がやや内側を向くようにしても良く、要は当該スピーカユニット７Ｌの放音面がおおよそ外耳道入口１０２Ｌの方向に向き、放射する中高音が効率良く鼓膜１０３Ｌへ到達されれば良い。
【００９９】
さらに第１の実施の形態においては、イヤースピーカ装置１が左右の電気音響変換部２Ｌ及び２Ｒを有し、２チャンネルの再生音を出力するようにした場合について述べたが、本発明はこれに限らず、例えば左側の電気音響変換部２Ｌのみを有し１チャンネルの再生音を出力するようにしても良い。
【０１００】
さらに第１の実施の形態においては、筐体部４Ｌに中高音用のスピーカユニット７Ｌを設けるようにした場合について述べたが、本発明はこれに限らず、例えば中音用及び高音用といった２つのスピーカユニットを１つの筐体部４Ｌに設けて２ウェイスピーカとするなど、複数のスピーカユニットを筐体部４Ｌに設けるようにしても良い。
【０１０１】
さらに第１の実施の形態においては、球体を垂直方向に４等分したような形状でなる筐体部４Ｌを用いるようにした場合について述べたが、本発明はこれに限らず、例えば立方体状や円柱状等の種々の形状であっても良く、要はバスレフ型スピーカのエンクロージャとして機能し得るようなほぼ密閉された空間を内部に有していれば良い。
【０１０２】
さらに第１の実施の形態においては、管状ダクト８Ｌ（図５）の内端部８ＢＬの端部にエッジが残された状態の筐体部４Ｌを用いるようにした場合について述べたが、本発明はこれに限らず、管状ダクト８Ｌの内端部８ＢＬの端部に対してＲ状の丸みが形成された筐体部４Ｌを用いるようにしても良い。この場合、筐体部４Ｌでは、スピーカユニット７Ｌの背面側から押し出される空気がエッジに当って風切り音を発生するようなことがなく、ノイズのない低音だけを管状ダクト８Ｌの孔部８ＡＬから放射することができる。
【０１０３】
さらに第１の実施の形態においては、筐体部４Ｌ及び４Ｒに対して管状ダクト８Ｌ及び８Ｒが一体に取り付けられているようにした場合について述べたが、本発明はこれに限らず、取り付け及び取り外し可能な構成としても良い。
【０１０４】
例えば、図５との対応部分に同一符号を付した図１９に示すように、筐体部４Ｌ１では、当該筐体部４Ｌ１のバッフル板４ＡＬに形成された凹形状のダクト保持部４Ｌ２に対し、管状ダクト８Ｌ１のダクト勘合部８Ｌ２を嵌め合わせることにより取り付け、またダクト保持部４Ｌ２とダクト勘合部８Ｌ２との勘合状態を解消することにより、管状ダクト８Ｌ１を取り外すことが可能となる。
【０１０５】
さらに第１の実施の形態においては、孔部８ＡＬから内端部８ＢＬまでのダクト長がそれぞれ同じ長さに設定された管状ダクト８Ｌを用いるようにした場合について述べたが、本発明はこれに限らず、それぞれ異なる長さのダクト長に設定された管状ダクトを用いるようにしても良い。
【０１０６】
例えば、図４との対応部分に同一符号を付した図２０に示すように、孔部８ＡＬから内端部８ＢＬ１までの長さＬ１と、孔部８ＡＬから内端部８ＢＬ２までの長さＬ２とが異なる管状ダクト８Ｌ３が設けられた筐体部４Ｌ３では、長さＬ１のダクト部分と、長さＬ２のダクト部分とでは共振特性の位相ずれが生じ、その結果、孔部８ＡＬから僅かに出力される中高域の周波数成分を相殺し、管状ダクト８Ｌ３の孔部８ＡＬから中高音が打ち消された低音だけを放射し得るようになされている。
【０１０７】
さらに第１の実施の形態においては、マイクロフォンＭＦ１Ｌ及びＭＦ１Ｒをバイノーラル録音用のマイクロフォンとして用いるようにした場合について述べたが、本発明はこれに限らず、ノイズキャンセル機能を実現するためのマイクロフォンとしても兼用するようにしても良い。
【０１０８】
この場合、イヤースピーカ装置１では、再生音をリスナに対して聴取させる際、マイクロフォンＭＦ１Ｌ及びＭＦ１Ｒによって外部騒音を集音し、その外部騒音とは逆相の音を生成して出力すれば、リスナに対して再生音だけを聴取させることができる。
【０１０９】
さらに第１の実施の形態においては、筐体部としての筐体部４Ｌ及び４Ｒと、スピーカユニットとしてのスピーカユニット７Ｌ及び７Ｒと、管状ダクトとしての管状ダクト８Ｌ及び８Ｒと、バイノーラル録音用のマイクロフォンとしてのマイクロフォンＭＦ１Ｌ及びＭＦ１Ｒとによって電気音響変換器としての電気音響変換部２Ｌ及び２Ｒを構成するようにした場合について述べたが、本発明はこれに限らず、その他種々の構成でなる筐体部と、スピーカユニットと、管状ダクトとバイノーラル録音用のマイクロフォンによって電気音響変換器を構成するようにしても良い。
【０１１０】
さらに第１の実施の形態においては、筐体部としての筐体部４Ｌ及び４Ｒと、スピーカユニットとしてのスピーカユニット７Ｌ及び７Ｒと、装着部としてのバンド部３と、管状ダクトとしての管状ダクト８Ｌ及び８Ｒと、バイノーラル録音用のマイクロフォンとしてのマイクロフォンＭＦ１Ｌ及びＭＦ１Ｒとによってイヤースピーカ装置としてのイヤースピーカ装置１を構成する場合について述べたが、本発明はこれに限らず、その他種々の構成でなる筐体部と、スピーカユニットと、装着部と、管状ダクトと、バイノーラル録音用のマイクロフォンとによってイヤースピーカ装置を構成するようにしても良い。
【０１１１】
（２）第２の実施の形態
（２−１）イヤースピーカ装置の構成
図１との対応部分に同一符号を付した図２１及び図２２において、２００は全体として第２の実施の形態におけるイヤースピーカ装置を示し、ポータブルＣＤプレーヤやＤＭＰの再生処理等により生成されたオーディオ信号を再生音に変換し、これをリスナに聴取させるようになされている。
【０１１２】
このイヤースピーカ装置２００においても、一般的な箱形のスピーカ装置とは異なり、通常のヘッドホン装置と同様にリスナの頭部に装着されることを前提としており、大きく分けてオーディオ信号を再生音に変換する電気音響変換部２０２Ｌ及び２０２Ｒと、当該電気音響変換部２０２Ｌ及び２０２Ｒをリスナの頭部に装着して固定させるためのバンド部３とにより構成されている。
【０１１３】
電気音響変換部２０２Ｌ及び２０２Ｒは、全体がほぼ球形状でなる筐体部２０４Ｌ及び２０４Ｒを中心に構成されており、その筐体部２０４Ｌ及び２０４Ｒには、それぞれ内部にスピーカユニット２０７Ｌ及び２０７Ｒが設けられている。
【０１１４】
筐体部２０４Ｌ（図２２）は、スピーカユニット２０７Ｌを境に、前方向側に位置する半球状部２０４ＬＡと、後方向側に位置するカバー部２０４ＬＢとに分けられており、半球状部２０４ＬＡのバッフル板２０４ＡＬには、オーディオ信号を再生音に変換するスピーカユニット２０７Ｌが取り付けられている。
【０１１５】
このスピーカユニット２０７Ｌは、ポータブルＣＤプレーヤやＤＭＰ等から接続ケーブル６を介して供給されるオーディオ信号に応じて、振動板を振動させることにより主に中高音を放音するようになされている。
【０１１６】
カバー部２０４ＬＢ（図２２）は、内部に空間を有する半球形状でなり、バッフル板２０４ＡＬの前方空間を覆い隠すと共に、その表面のほぼ中央に対して、金属製でなり、所定太さを有する中空の部材が側面略Ｕ字状に曲げられた管状ダクト２０８Ｌが取り付けられている。
【０１１７】
この管状ダクト２０８Ｌ及び２０８Ｒ（図２１）は、外端部がそれぞれ左右内側方向に曲げられており、さらに外端部のほぼ中央にそれぞれ孔部２０８ＡＬ及び２０８ＡＲが形成されている。
【０１１８】
バンド部３は、中央部３Ａを中心に一般的な人間の頭部の形状に合わせて上に凸の略アーチ型に形成されていると共に、当該中央部３Ａに対して伸縮自在に摺動し得るアジャスト部３ＢＬ及び３ＢＲにより当該バンド部３全体の長さを調整し得るようになされている。
【０１１９】
またバンド部３は、一般的な人間の頭部の形状よりも小さい径のアーチ型に形成されると共に弾性力を有しており、リスナに装着される際に筐体部２０４Ｌ及び２０４Ｒを左右に広げながら装着されると、装着後に当該弾性力の作用によって元の形状に戻ろうとするため、筐体部２０４Ｌ及び２０４Ｒを当該リスナの頭部に対して当接させた状態で保持させるようになされている。
【０１２０】
なお、イヤースピーカ装置２００は、ほぼ左右対称に構成されているため、以下では主に左側の電気音響変換部２０２Ｌを例に説明する。
【０１２１】
実際上、イヤースピーカ装置２００（図２２）は、バンド部３における長さが調整された上でリスナの頭部１００に装着されることにより、アジャスト部３ＢＬの下端側に取り付けられた電気音響変換部２０２Ｌをリスナの頭部における耳介１０１Ｌよりもやや前方に位置させるようになされている。
【０１２２】
これによりイヤースピーカ装置２００では、バンド部３を介してリスナに対し正常に装着された場合、筐体部２０４Ｌのスピーカユニット２０７Ｌが耳介１０１Ｌ及び外耳道入口１０２Ｌのやや前方に位置し、カバー部２０４ＬＢの管状ダクト２０８Ｌの孔部２０８ＡＬが外耳道入口１０２Ｌの近傍に位置するようになされている。
【０１２３】
従ってイヤースピーカ装置２００は、スピーカユニット２０７Ｌから放射された主に中高音をカバー部２０４ＬＢ及び管状ダクト２０８Ｌを介して、直接リスナの外耳道内部へ到達させることができるため、一般的な据置型スピーカを介して聴取した場合よりも中高音の音漏れがない状態で自然な音像定位を与え得るようになされている。
【０１２４】
因みに管状ダクト２０８Ｌは、その先端部が側面略Ｕ字状に形成されているため、リスナの外耳道内部へ入り込まないようになされている。これによりイヤースピーカ装置２００では、当該リスナが装着時等に誤って管状ダクト２０８Ｌの先端部により当該外耳道内部を傷つけてしまうことを未然に防止し得るようになされている。
【０１２５】
ここで、図２２におけるＱ３−Ｑ４断面を図２３に示すように、電気音響変換部２０２Ｌの筐体部２０４Ｌはスピーカユニット２０７Ｌの前面空間が管状ダクト２０８Ｌの孔部２０８ＡＬを除き密閉されており、スピーカユニット２０７Ｌに対してカバー部２０４ＬＢ及び当該管状ダクト２０８Ｌにより共振回路を形成するようになされている。
【０１２６】
また管状ダクト２０８Ｌは、筐体部２０４Ｌの内部から筐体部２０４Ｌのカバー部２０４ＬＢを介してリスナの外耳道入口１０２Ｌの近傍に到達している。実際上、電気音響変換部２０２Ｌは、スピーカユニット２０７Ｌの前面から放射される主に中高音を、カバー部２０４ＬＢ及び管状ダクト２０８Ｌを介して集め、当該管状ダクト２０８Ｌの孔部２０８ＡＬからリスナの鼓膜１０３へダイレクトに到達させることにより、音漏れの少ない状態で充分な音声レベルの中高音をリスナに聴取させ得るようになされている。
【０１２７】
なお管状ダクト２０８Ｌは、側面略Ｕ字状に形成されたことにより、１本の管状ダクトとした場合に比べてその有効長を短く設定し得ると共に、デザイン性及び安全性を大きく向上させ得るようになされている。
【０１２８】
なお、上述したイヤースピーカ装置２００の筐体部２０４Ｌ及び２０４Ｒ（図２１及び図２２）には、カバー部２０４ＬＢ及び２０４ＲＢの表面上であって、スピーカユニット２０７Ｌ及び２０７Ｒと対向した位置に無指向性でなるバイノーラル録音用のマイクロフォンＭＦ２Ｌ及びＭＦ２Ｒが取り付けられている。
【０１２９】
このバイノーラル録音では、収録された音声をイヤースピーカ装置２００のスピーカユニット２０７Ｌ及び２０７Ｒで再生出力した場合、ダミーヘッド或いはリスナの実際の耳で聴いた左右の音声が混ざり合うことなく、そっくりそのままリスナの耳に到達するため、あたかもリスナ自身がその場に居合わせたかのような臨場感を得ることができることを特徴とするものである。
【０１３０】
すなわち、バイノーラル録音では、リスナが実際に音源からの音声を聴いているかのような状態で録音することが出来るため、理想的な音像定位を実現することが可能である。
【０１３１】
従ってイヤースピーカ装置２００では、バイノーラル録音された音声コンテンツの再生音声をスピーカユニット２０７Ｌ及び２０７Ｒから管状ダクト２０８Ｌ及び２０８Ｒを介して出力することにより、自然な音像定位を与えながら管状ダクト２０８Ｌ及び２０８Ｒの孔部２０８ＡＬ及び２０８ＡＲを介して音漏れのない状態で中高音の再生音を当該リスナに聴取させ得るようになされている。
【０１３２】
因みに、マイクロフォンＭＦ２Ｌ及びＭＦ２Ｒの取付位置としては、この場所に限られるものではなく、無指向性である以上、カバー部２０４ＬＢ及び２０４ＲＢの表面上や、半球状部２０４ＬＡ及び２０４ＲＡの表面上の所定位置であってもよい。
【０１３３】
またイヤースピーカ装置２００においては、バイノーラル録音用のマイクロフォンＭＦ２Ｌ及びＭＦ２Ｒを新たに設けるのではなく、同じ位置に取り付けられたノイズキャンセル用のマイクロフォンをモード切り替えによりバイノーラル録音用のマイクロフォンＭＦ２Ｌ及びＭＦ２Ｒとして用いるようにしてもよい。
【０１３４】
更に、イヤースピーカ装置２００では、バイノーラル録音用のマイクロフォンＭＦ２Ｌ及びＭＦ２Ｒを新たに設けるのではなく、モード切り替えにより、スピーカユニット２０７Ｌ及び２０７Ｒをバイノーラル録音用のマイクロフォンＭＦ２Ｌ及びＭＦ２Ｒとして用いるようにしてもよい。
【０１３５】
（２−２）他のイヤースピーカ装置の構成例
ところで、第２の実施の形態におけるイヤースピーカ装置２００は、図２１〜図２３に示したように、装着部としてのバンド部３により電気音響変換部２０２Ｌ及び２０２Ｒをリスナの頭部１００に装着するようになされているが、このバンド部３に代えて他の種々の装着部を用いることにより電気音響変換部２０２Ｌ及び２０２Ｒをリスナの頭部１００に装着するようにしても良い。
【０１３６】
なお、以下では、上述したイヤースピーカ装置２００の場合と同様、主に左側の電気音響変換部２０２Ｌを例に説明するが、右側の電気音響変換部２０２Ｒについても、当該左側の電気音響変換部２０２Ｌと左右対称に構成されているものとする。
【０１３７】
例えば図１１との対応部分に同一符号を付した図２４に示すように、リスナの耳介１０１Ｌに引っ掛けるためのイヤークリップ２１Ｌが、第２の実施の形態におけるイヤースピーカ装置２００（図２１〜図２３）のバンド部３に代えて、電気音響変換部２０２Ｌの筐体部２０４Ｌに取り付けられた所謂イヤークリップ型のイヤースピーカ装置２２０が考えられる。
【０１３８】
この場合のイヤースピーカ装置２２０（図２４）においても、スピーカユニット２０７Ｌから放射された主に中高音を、カバー部２０４ＬＢ及び管状ダクト２０８Ｌを介して直接リスナの外耳道内部へ到達させることができるため、一般的な据置型スピーカを介して聴取した場合よりも中高音の音漏れがない状態で自然な音像定位を与え得るようになされている。
【０１３９】
また図１２との対応部分に同一符号を付した図２５に示すように、第２の実施の形態におけるイヤースピーカ装置２００（図２１〜図２３）の左右の電気音響変換部２０２Ｌ及び２０２Ｒを接続すると共にリスナの耳介１０１Ｌに引っ掛けるためのバンド部３１が、当該イヤースピーカ装置２００のバンド部３に代えて電気音響変換部２０２Ｌの筐体部２０４Ｌに取り付けられた所謂アンダーチン型のイヤースピーカ装置２３０が考えられる。
【０１４０】
この場合のイヤースピーカ装置２３０（図２５）においても、スピーカユニット２０７Ｌから放射された主に中高音をカバー部２０４ＬＢ及び管状ダクト２０８Ｌを介して、直接リスナの外耳道内部へ到達させることができるため、一般的な据置型スピーカを介して聴取した場合よりも中高音の音漏れがない状態で自然な音像定位を与え得るようになされている。
【０１４１】
さらに図１３との対応部分に同一符号を付した図２６に示すように、第２の実施の形態におけるイヤースピーカ装置２００（図２１〜図２３）の左右の電気音響変換部２０２Ｌ及び２０２Ｒを接続すると共にリスナの肩部から支持するショルダーアーム４１が、当該イヤースピーカ装置２００のバンド部３に代えて電気音響変換部２０２Ｌの筐体部２０４Ｌに取り付けられた所謂ショルダーホールド型のイヤースピーカ装置２４０が考えられる。
【０１４２】
この場合のイヤースピーカ装置２４０（図２６）においても、スピーカユニット２０７Ｌから放射された主に中高音をカバー部２０４ＬＢ及び管状ダクト２０８Ｌを介して、直接リスナの外耳道内部へ到達させることができるため、一般的な据置型スピーカを介して聴取した場合よりも中高音の音漏れがない状態で自然な音像定位を与え得るようになされている。
【０１４３】
さらに図１４との対応部分に同一符号を付した図２７に示すように、第２の実施の形態におけるイヤースピーカ装置２００（図２１〜図２３）の左右の電気音響変換部２０２Ｌ及び２０２Ｒを接続すると共にリスナの耳介１０１Ｌに引っ掛けるためのバンド部５１が、当該イヤースピーカ装置２００のバンド部３に換えて筐体部２０４Ｌに取り付けられた所謂ネックバンド型のイヤースピーカ装置２５０が考えられる。
【０１４４】
この場合のイヤースピーカ装置２５０（図２７）においても、スピーカユニット２０７Ｌから放射された主に中高音をカバー部２０４ＬＢ及び管状ダクト２０８Ｌを介して、直接リスナの外耳道内部へ到達させることができるため、一般的な据置型スピーカを介して聴取した場合よりも中高音の音漏れがない状態で自然な音像定位を与え得るようになされている。
【０１４５】
さらに図１５との対応部分に同一符号を付した図２８に示すように、第２の実施の形態におけるイヤースピーカ装置２００（図２１〜図２３）の電気音響変換部２０２Ｌをリスナの耳介１０１よりも後方に位置させると共に、管状ダクト２０８Ｌに代えて略Ｌ字状でなる管状ダクト２６１Ｌがリスナの耳介１０１Ｌの後方に位置する筐体部２０４Ｌから外耳道入口１０２Ｌの近傍まで延長された構成のイヤースピーカ装置２６０が考えられる。
【０１４６】
この場合のイヤースピーカ装置２６０（図２８）においても、スピーカユニット２０７Ｌから放射された主に中高音をカバー部２０４ＬＢ及び管状ダクト２６１Ｌを介して、直接リスナの外耳道内部へ到達させることができるため、一般的な据置型スピーカを介して聴取した場合よりも中高音の音漏れがない状態で自然な音像定位を与え得るようになされている。
【０１４７】
さらに図１６との対応部分に同一符号を付した図２９に示すように、第２の実施の形態におけるイヤースピーカ装置２００（図２１〜図２３）の電気音響変換部２０２Ｌに加えて、当該電気音響変換部２０２Ｌと同様の構成でなる後方電気音響変換部２７２Ｌを有しており、イヤースピーカ装置２００（図２１〜図２３）におけるバンド部３に代わるバンド部７１により、電気音響変換部２０２Ｌを耳介１０１Ｌの前方に位置させると共に、後方電気音響変換部２７２Ｌを当該耳介１０１Ｌの後方に位置させるようになされている。
【０１４８】
因みに、後方電気音響変換部２７２Ｌには、４チャンネルや５．１チャンネル等のマルチチャンネル音源におけるリアチャンネル用の音声信号が供給されるようになされている。
【０１４９】
このイヤースピーカ装置２７０（図２９）は、リスナの頭部１００に装着されることにより、電気音響変換部２０２Ｌ及び後方電気音響変換部２７２Ｌを当該リスナの頭部１００に装着することができ、電気音響変換部２０２Ｌ及び後方電気音響変換部２７２Ｌにより耳介１０１Ｌを挟み込んだ状態で自然な音像定位を与えながら、サラウンド音でなり充分な低音を含む良好な再生音を当該リスナに聴取させ得るようになされている。
【０１５０】
またこの場合、イヤースピーカ装置２７０（図２９）では、バンド部７１に対して加振器７５を取り付け、例えば５．１チャンネル音源における重低音成分に応じた振動をリスナの頭部１００に加えるようにしても良い。
【０１５１】
なおイヤースピーカ装置２７０（図２９）は、電気音響変換部２０２Ｌから管状ダクト２０８Ｌをリスナの外耳道入口１０２Ｌ近傍まで延長する以外にも、イヤースピーカ装置２６０（図２８）と同様、後方用電気音響変換部２７２Ｌから管状ダクトをリスナの外耳道入口１０２Ｌ近傍まで延長するようにしたり、或いは電気音響変換部２０２Ｌ及び後方用電気音響変換部２７２Ｌの両方から管状ダクトをリスナの外耳道入口１０２Ｌ近傍まで延長するようにしても良い。
【０１５２】
さらに図１７との対応部分に同一符号を付した図３０に示すように、第２の実施の形態におけるイヤースピーカ装置２００（図２１〜図２３）の電気音響変換部２０２Ｌをリスナの頬よりも前側に位置させるバンド部８１が筐体部２０４Ｌに取り付けられたイヤースピーカ装置２８０が考えられる。
【０１５３】
また筐体部２０４Ｌには、管状ダクト２０８Ｌに代えて筐体部２０４Ｌからリスナの外耳道入口１０２Ｌ近傍まで延長された管状ダクト２８１Ｌが設けられている。なお、管状ダクト２８１Ｌは、再生音における良好な低音を孔部２８１ＡＬから放射するべく、その内径や音の経路長等が適切に計算されている。
【０１５４】
このイヤースピーカ装置２８０（図３０）は、リスナの頭部１００に装着されることにより、筐体部２０４Ｌを当該リスナの頬よりも前方に位置させることができる。この場合、スピーカユニット２０７Ｌから放射された中高音は、当該リスナの頬等において反射されることによりその特性が変化するため、イヤースピーカ装置２００の場合と比較して、一般的な据置型のスピーカから放射された音に一層近づけられることになる。これによりイヤースピーカ装置２８０は、一段と自然な定位感を与え得る再生音をリスナに聴取させることができる。
【０１５５】
このように本発明では、イヤースピーカ装置２００のバンド部３（図２１〜図２３）以外にも、イヤースピーカ装置２２０〜２８０（図２４〜図３０）のような種々の方式でなる装着部により、電気音響変換部２０２Ｌ及び２０２Ｒをリスナの頭部１００に対して装着させるようにしても良い。
【０１５６】
（２−３）第２の実施の形態における動作及び効果
以上の構成において、イヤースピーカ装置２００は、リスナの頭部１００に装着されることにより、電気音響変換部２０２Ｌの筐体部２０４Ｌに設けられたスピーカユニット２０７Ｌから主に放射される中高音をカバー部２０４ＬＢから管状ダクト２０８Ｌを介して集め、外耳道入口１０２Ｌの近傍に位置した管状ダクト２０８Ｌの孔部２０８ＡＬから当該中高音を出力させる。
【０１５７】
従ってイヤースピーカ装置２００の電気音響変換部２０２Ｌは、スピーカユニット２０７Ｌから放射された中高音を、管状ダクト２０８Ｌの孔部２０８ＡＬからのみ鼓膜１０３Ｌに直接到達させることができるので、一般的なスピーカを介してリスナに聴取させる場合と似た特性の再生音を音漏れなしに聴取させ得ると共に、音像が頭外に位置しているような自然な定位感を与えることもできる。
【０１５８】
またイヤースピーカ装置２００は、管状ダクト２０８Ｌの孔部２０８ＡＬを外耳道入口１０２Ｌの近傍に位置させるだけであって、密閉型のヘッドホンのように外耳道入口１０２Ｌを塞いでしまうことがないため、管状ダクト２０８Ｌの孔部２０８ＡＬから出力される再生音だけでなく、周囲音についても遮断されることなく鼓膜１０３に届かせることができ、かくして管状ダクト２０８Ｌを介して再生音を聴取させながら外部の周囲音についても聴取させることができる。
【０１５９】
これによりイヤースピーカ装置２００では、リスナが歩行するときやスポーツを行うときなど、リスナが周囲音について聴取する必要がある場合にも、管状ダクト２０８Ｌの孔部２０８ＡＬから出力される再生音に加えて周囲音についても確実に聴取させることができる。
【０１６０】
またイヤースピーカ装置２００は、リスナの耳介１０１Ｌ等を電気音響変換部２０２Ｌによって覆ってしまうことがないため、一般的なヘッドホンを装着したリスナが感じるような閉塞感や蒸れといった不快感を与えることがない。さらにイヤースピーカ装置２００では、密閉空間を形成しないため、密閉型ヘッドホンを使用した場合に生じ得る、外耳道における共振周波数の変化を生じることもなくリスナに違和感を与えることもない。
【０１６１】
そのうえイヤースピーカ装置２００は、再生音の放射口である管状ダクト２０８Ｌの孔部２０８ＡＬを鼓膜１０３Ｌに近づけることによりリスナに十分な音量レベルの中高音を聴取させ得るため、スピーカユニット２０７Ｌの口径を不必要に大きくする必要が無く、筐体部２０４Ｌの大きさを必要最小限に止めることができる。
【０１６２】
これによりイヤースピーカ装置２００では、全体の大きさや重量を必要最小限に抑えることができるので、リスナがイヤースピーカ装置２００を装着した際の大きさや重さによる煩わしさを極力抑えることができる。
【０１６３】
以上の構成によれば、イヤースピーカ装置２００は、リスナの頭部１００に装着された際、電気音響変換部２０２Ｌのスピーカユニット２０７Ｌを当該リスナの外耳道入口１０２Ｌよりもやや前方に位置させると共に、スピーカユニット２０７Ｌから主に放射される中高音をカバー部２０４ＬＢから管状ダクト２０８Ｌを介して外部に漏れることなく集め、外耳道入口１０２Ｌの近傍に位置した管状ダクト２０８Ｌの孔部２０８ＡＬから音声信号に基づいた再生音を出力することにより、管状ダクト２０８Ｌの孔部２０８ＡＬから放射する中高音を十分な音圧レベルで鼓膜１０３に到達させることができるので、自然な音像定位を与えながら充分な音圧レベルでなる良好な再生音をリスナに聴取させることができる。
【０１６４】
（２−４）第２の実施の形態に対する他の実施の形態
なお上述した第２の実施の形態においては、管状ダクト２０８Ｌが側面略Ｕ字状に形成され、孔部８ＡＲを境に２本の管状ダクトによって構成するようにした場合について述べたが、本発明はこれに限らず、当該管状ダクト２０８Ｌを１本や３本以上の管状ダクトによって構成するようにしても良い。
【０１６５】
例えば図３１に示すように、イヤースピーカ装置２９０の電気音響変換部２９２Ｌにおいては、筐体部２０４Ｌにおけるカバー部２０４ＬＢの表面から１本の管状ダクト２９８Ｌが後方へ延長されるようにしても良く、さらに当該管状ダクト２９８Ｌの後側先端部にリスナの外耳道入口１０２Ｌを傷つけないための保護部２９９Ｌが取り付けられていても良い。この場合、保護部２９９Ｌは、音を通しやすいスポンジ状の部材等で構成されることにより、周囲音を遮断させることなくリスナに聴取させることができる。
【０１６６】
また第２の実施の形態においては、金属等の固い材料で形成された管状ダクト２０８Ｌを用いるようにした場合について述べたが、本発明はこれに限らず、可撓性を有する樹脂等の柔らかい材料で形成された管状ダクト２０８Ｌを用いるようにしても良い。この場合、当該管状ダクト２０８Ｌの材料の違いを考慮した上で内径や経路長が設計されることが望ましい。
【０１６７】
さらに第２の実施の形態においては、イヤースピーカ装置２００がリスナの頭部１００（図２２）に装着された際、スピーカユニット２０７Ｌの放音面がほぼ後方向を向くようにした場合について述べたが、本発明はこれに限らず、例えばスピーカユニット２０７Ｌの放音面がやや内側を向くようにしても良く、要は当該スピーカユニット２０７Ｌの放音面がおおよそ外耳道入口１０２Ｌの方向に向き、放射する中高音が効率良く鼓膜１０３Ｌへ到達されれば良い。
【０１６８】
さらに第２の実施の形態においては、イヤースピーカ装置２００が左右の電気音響変換部２０２Ｌ及び２０２Ｒを有し、２チャンネルの再生音を出力するようにした場合について述べたが、本発明はこれに限らず、例えば左側の電気音響変換部２０２Ｌのみを有し１チャンネルの再生音を出力するようにしても良い。
【０１６９】
さらに第２の実施の形態においては、筐体部２０４Ｌに中高音用のスピーカユニット２０７Ｌを設けるようにした場合について述べたが、本発明はこれに限らず、例えば中音用及び高音用といった２つのスピーカユニットを１つの筐体部２０４Ｌに設けて２ウェイスピーカとするなど、複数のスピーカユニットを筐体部２０４Ｌに設けるようにしても良い。
【０１７０】
さらに第２の実施の形態においては、半球形状のカバー部２０４ＬＢを用いるようにした場合について述べたが、本発明はこれに限らず、例えば四角錐や三角錐等の形状であっても良く、要はスピーカユニット２０７Ｌから出力された中高音を集められ、かつ外部に漏れない構造であれば良い。
【０１７１】
さらに第２の実施の形態においては、スピーカユニット２０７Ｌの後方を閉塞した構造の半球状部２０４ＬＡが設けられた筐体部２０４Ｌを用いるようにした場合について述べたが、本発明はこれに限らず、図３２に示すように、スピーカユニット２０７Ｌの後方に貫通孔３０５〜３０８が形成されると共に、その貫通孔３０５〜３０８を内側から塞ぐようなスポンジ等でなる音響抵抗体３０９が取り付けられた半球状部３０４ＬＡを有する筐体部３０４Ｌを用いるようにしても良い。
【０１７２】
この場合の筐体部３０４Ｌ（図３２）では、スピーカユニット２０７Ｌの後方側が貫通孔３０５〜３０８によって開放されたことによって当該スピーカユニット２０７Ｌの振動板がオーディオ信号に対して追従し易くなると共に、貫通孔３０５〜３０８が形成されたことによる音質の低下を音響抵抗体３０９によって防ぐことができるので、高音質な中高音を管状ダクト２０８Ｌの孔部２０８ＡＬから放射することができる。
【０１７３】
因みに、筐体部３０４Ｌ（図３２）では、音響抵抗体３０９が必ずしもなければならない訳ではなく、必要に応じて音響抵抗体３０９を取り付け、またその長さ及び厚さを変更したものを取り付けることにより音質を調整することが可能である。
【０１７４】
さらに第２の実施の形態においては、スピーカユニット２０７Ｌの後方を閉塞した構造の半球状部２０４ＬＡが設けられた筐体部２０４Ｌを用いるようにした場合について述べたが、本発明はこれに限らず、図３３に示すように、スピーカユニット２０７Ｌの前方に貫通孔４０５〜４０８が形成されると共に、その貫通孔４０５〜４０８を内側から塞ぐようなスポンジ等でなる音響抵抗体４０９及び４１０が取り付けられたカバー部４０４ＬＢを有する筐体部４０４Ｌを用いるようにしても良い。
【０１７５】
この場合の筐体部４０４Ｌ（図３３）では、スピーカユニット２０７Ｌの前方側が貫通孔４０５〜４０８によって開放されたことによって当該スピーカユニット２０７Ｌの振動板がオーディオ信号に対して追従し易くなると共に、貫通孔４０５〜４０８が形成されたことによる音質の低下を音響抵抗体４０９及び４１０によって防ぐことができるので、高音質な中高音を管状ダクト２０８Ｌの孔部２０８ＡＬから放射することができる。
【０１７６】
因みに、筐体部４０４Ｌ（図３３）においても、音響抵抗体４０９及び４１０が必ずしもなければならない訳ではなく、必要に応じて音響抵抗体４０９及び４１０を取り付け、またその長さ及び厚さを変更したものを取り付けることにより音質を調整することが可能である。
【０１７７】
さらに第２の実施の形態においては、カバー部２０４ＬＢの表面に管状ダクト２０８Ｌが設けられた筐体部２０４Ｌを用いるようにした場合について述べたが、本発明はこれに限らず、図３４に示すように半球状部５０４ＬＡの表面に管状ダクト５０８Ｌが一体に設けられた筐体部５０４Ｌを用いるようにしても良い。
【０１７８】
この場合、筐体部５０４Ｌ（図３４）は所謂ケルトン型のスピーカ装置と同様の構造を有することになり、スピーカユニット２０７Ｌの前方の空間に中高音を閉じ込める一方、スピーカユニット２０７Ｌの後方から所定の周波数帯域の低音だけを、管状ダクト５０８Ｌの孔部５０８ＡＬを介して放射させることができる。
【０１７９】
因みに、筐体部５０４Ｌ（図３４）の構造としては、これに限るものではなく、スピーカユニット２０７Ｌの後方を半球状部によって閉塞し、カバー部２０４ＬＢの表面の何れかに管状ダクトを設けることによりケルトン型とすることも考えられる。
【０１８０】
さらに第２の実施の形態においては、カバー部２０４ＬＢの表面に管状ダクト２０８Ｌが一体化した状態で形成された筐体部２０４Ｌを用いるようにした場合について述べたが、本発明はこれに限らず、図３５に示すようにカバー部６０４ＬＢに形成された勘合部６０４ＬＢＳと、管状ダクト６０８Ｌの一方に形成された保持部６０８ＬＳとを相互に勘合することにより、当該管状ダクト６０８Ｌがカバー部６０４ＬＢに対して着脱自在に設けられた構成の筐体部６０４Ｌを用いるようにしても良い。
【０１８１】
これにより筐体部６０４Ｌ（図３５）では、リスナにとって必要なときにのみ管状ダクト６０８Ｌが取り付けられた状態で使用され、リスナにとって不必要なときには管状ダクト６０８Ｌが取り外された状態で使用されるようになるため、リスナの使い勝手を大幅に向上させることができる。
【０１８２】
さらに第２の実施の形態においては、カバー部２０４ＬＢの内側であって、管状ダクト２０８Ｌの付け根部分にエッジが残った状態の筐体部２０４Ｌ（図２３）を用いるようにした場合について述べたが、本発明はこれに限らず、図３６に示すようにカバー部７０４ＬＢの内側であって、管状ダクト７０８Ｌの付け根部分にＲ状のラウンド部７１１が形成された筐体部７０４Ｌを用いるようにしても良い。
【０１８３】
この筐体部７０４Ｌでは、スピーカユニット２０７Ｌの前面側から押し出される空気がエッジに当って風切り音を発生するようなことがなく、高音質な中高音だけを管状ダクト７０８Ｌの孔部７０８ＡＬから放射することができる。
【０１８４】
さらに第２の実施の形態においては、カバー部２０４ＬＢの表面に管状ダクト２０８Ｌが一体化した状態で形成された筐体部２０４Ｌを用いるようにした場合について述べたが、本発明はこれに限らず、カバー部２０４ＬＢと管状ダクト２０８Ｌとを区別することなく、スピーカユニット２０７Ｌの前面側を包み込むような形状で先端に行くに連れて細い管状に形成された管状ダクトがバッフル板２０４ＡＬに取り付けられた構造の筐体部を用いるようにしても良い。
【０１８５】
さらに第２の実施の形態においては、孔部２０８ＡＬを中心としたカバー部２０４ＬＢの表面までのダクト長がそれぞれ同じ長さに設定された管状ダクト２０８Ｌを用いるようにした場合について述べたが、本発明はこれに限らず、それぞれ異なる長さのダクト長に設定された管状ダクトを用いるようにしても良い。
【０１８６】
例えば、図２０との対応部分に同一符号を付した図３７に示すように、孔部８０８ＡＬから内端部８０８ＢＬ１までの長さＬ３と、孔部８０８ＡＬから内端部８０８ＢＬ２までの長さＬ４とが異なる管状ダクト８０８Ｌが設けられた筐体部８０４Ｌでは、長さＬ３のダクト部分と、長さＬ４のダクト部分とでは互いに共振特性の位相ずれが生じ、その結果、孔部８０８ＡＬから僅かに出力される中高域の周波数成分を相殺し、管状ダクト２０８Ｌ２の孔部８０８ＡＬから中高音が打ち消された低音だけを放射し得るようになされている。
【０１８７】
さらに第２の実施の形態においては、マイクロフォンＭＦ２Ｌ及びＭＦ２Ｒをバイノーラル録音用のマイクロフォンとして用いるようにした場合について述べたが、本発明はこれに限らず、ノイズキャンセル機能を実現するためのマイクロフォンとしても兼用するようにしても良い。
【０１８８】
この場合、イヤースピーカ装置２００では、再生音をリスナに対して聴取させる際、マイクロフォンＭＦ２Ｌ及びＭＦ２Ｒによって外部騒音を集音し、その外部騒音とは逆相の音を生成して出力すれば、リスナに対して再生音だけを聴取させることができる。
【０１８９】
さらに第２の実施の形態においては、筐体部としての筐体部２０４Ｌ及び２０４Ｒと、スピーカユニットとしてのスピーカユニット２０７Ｌ及び２０７Ｒと、管状ダクトとしての管状ダクト２０８Ｌ及び２０８Ｒと、バイノーラル録音用のマイクロフォンとしてのマイクロフォンＭＦ２Ｌ及びＭＦ２Ｒとによって電気音響変換器としての電気音響変換部２０２Ｌ及び２０２Ｒを構成するようにした場合について述べたが、本発明はこれに限らず、その他種々の構成でなる筐体部と、スピーカユニットと、管状ダクトと、バイノーラル録音用のマイクロフォンとによって電気音響変換器を構成するようにしても良い。
【０１９０】
さらに第２の実施の形態においては、筐体部としての筐体部２０４Ｌ及び２０４Ｒと、スピーカユニットとしてのスピーカユニット２０７Ｌ及び２０７Ｒと、装着部としてのバンド部３と、管状ダクトとしての管状ダクト２０８Ｌ及び２０８Ｒと、バイノーラル録音用のマイクロフォンとしてのマイクロフォンＭＦ２Ｌ及びＭＦ２Ｒとによってイヤースピーカ装置としてのイヤースピーカ装置１を構成する場合について述べたが、本発明はこれに限らず、その他種々の構成でなる筐体部と、スピーカユニットと、装着部と、管状ダクトと、バイノーラル録音用のマイクロフォンとによってイヤースピーカ装置を構成するようにしても良い。
【産業上の利用可能性】
【０１９１】
本発明は、バスレフ型のスピーカ以外にも、バックロードホーン型等の他、種々のダクトを有するスピーカ装置をリスナの頭部に装着させる種々のイヤースピーカ装置でも利用できる。
【図面の簡単な説明】
【０１９２】
【図１】第１の実施の形態におけるイヤースピーカ装置の全体構成（１）を示す略線的斜視図である。
【図２】第１の実施の形態におけるイヤースピーカ装置の全体構成（２）を示す略線的後面図である。
【図３】第１の実施の形態におけるイヤースピーカ装置の全体構成（３）を示す略線的前面図である。
【図４】第１の実施の形態におけるイヤースピーカ装置の装着状態（１）を示す略線的側面図である。
【図５】第１の実施の形態におけるイヤースピーカ装置の装着状態（２）を示す略線的上断面図である。
【図６】一般的なバスレフ型のイヤースピーカ装置を示す略線的上断面図である。
【図７】従来のバスレフ型スピーカにおける周波数特性を示す略線図である。
【図８】第１の実施の形態におけるイヤースピーカ装置の周波数特性を示す略線図である。
【図９】理論的な周波数特性を示す略線図である。
【図１０】実測による周波数特性を示す略線図である。
【図１１】第１の実施の形態におけるイヤースピーカ装置の構成及び装着の例（１）を示す略線的側面図である。
【図１２】第１の実施の形態におけるイヤースピーカ装置の構成及び装着の例（２）を示す略線的側面図である。
【図１３】第１の実施の形態におけるイヤースピーカ装置の構成及び装着の例（３）を示す略線的側面図である。
【図１４】第１の実施の形態におけるイヤースピーカ装置の構成及び装着の例（４）を示す略線的側面図である。
【図１５】第１の実施の形態におけるイヤースピーカ装置の構成及び装着の例（５）を示す略線的側面図である。
【図１６】第１の実施の形態におけるイヤースピーカ装置の構成及び装着の例（６）を示す略線的側面図である。
【図１７】第１の実施の形態におけるイヤースピーカ装置の構成及び装着の例（７）を示す略線的側面図である。
【図１８】他の実施の形態による管状ダクトの構成例（１）を示す略線的斜視図である。
【図１９】他の実施の形態による管状ダクトの構成例（２）を示す略線的斜視図である。
【図２０】他の実施の形態による管状ダクトの構成例（３）を示す略線的斜視図である。
【図２１】第２の実施の形態におけるイヤースピーカ装置の全体構成を示す略線的斜視図である。
【図２２】第２の実施の形態におけるイヤースピーカ装置の装着状態（１）を示す略線的側面図である。
【図２３】第２の実施の形態におけるイヤースピーカ装置の装着状態（２）を示す略線的上断面図である。
【図２４】第２の実施の形態におけるイヤースピーカ装置の構成及び装着の例（１）を示す略線的側面図である。
【図２５】第２の実施の形態におけるイヤースピーカ装置の構成及び装着の例（２）を示す略線的側面図である。
【図２６】第２の実施の形態におけるイヤースピーカ装置の構成及び装着の例（３）を示す略線的側面図である。
【図２７】第２の実施の形態におけるイヤースピーカ装置の構成及び装着の例（４）を示す略線的側面図である。
【図２８】第２の実施の形態におけるイヤースピーカ装置の構成及び装着の例（５）を示す略線的側面図である。
【図２９】第２の実施の形態におけるイヤースピーカ装置の構成及び装着の例（６）を示す略線的側面図である。
【図３０】第２の実施の形態におけるイヤースピーカ装置の構成及び装着の例（７）を示す略線的側面図である。
【図３１】他の実施の形態による管状ダクトの構成例（４）を示す略線的斜視図である。
【図３２】他の実施の形態による筐体部の構成例（１）を示す略線的断面図である。
【図３３】他の実施の形態による筐体部の構成例（２）を示す略線的断面図である。
【図３４】他の実施の形態による筐体部の構成例（３）を示す略線的断面図である。
【図３５】他の実施の形態による管状ダクトの構成（５）を示す略線的斜視図である。
【図３６】他の実施の形態による管状ダクトの構成（６）を示す略線的斜視図である。
【図３７】他の実施の形態による管状ダクトの構成（７）を示す略線的斜視図である。
【符号の説明】
【０１９３】
１、２０、３０、４０、５０、６０、７０、８０、９０、２００、２２０、２３０、２４０、２５０、２６０、２７０、２８０、２９０……イヤースピーカ装置、２Ｌ、２Ｒ、７２Ｌ、９２Ｌ、２０２Ｌ、２０２Ｒ……電気音響変換部、３、３１、５１、６１、７１、８１……バンド部、４Ｌ、４Ｌ１、４Ｌ３、４Ｒ、２０４Ｌ、２０４Ｒ、３０４Ｌ、４０４Ｌ、５０４Ｌ、６０４Ｌ、７０４Ｌ、８０４Ｌ……筐体部、７Ｌ、７Ｒ、２０７Ｌ、２０７Ｒ……スピーカユニット、８Ｌ、８Ｒ、２０８Ｌ、２０８Ｒ、２６１Ｌ、２８１Ｌ、２９８Ｌ、３０８Ｌ、６０８Ｌ、７０８Ｌ、８０８Ｌ……管状ダクト、８ＡＬ、８ＡＲ、２０８ＡＬ、２０８ＡＲ……孔部、１００……頭部、１０１Ｌ……耳介、１０２Ｌ……外耳道入口、１０３Ｌ……鼓膜。
【図１】
0004826456.tif 000002
【図２】
0004826456.tif 000003
【図３】
0004826456.tif 000004
【図４】
0004826456.tif 000005
【図５】
0004826456.tif 000006
【図６】
0004826456.tif 000007
【図７】
0004826456.tif 000008
【図８】
0004826456.tif 000009
【図９】
0004826456.tif 000010
【図１０】
0004826456.tif 000011
【図１１】
0004826456.tif 000012
【図１２】
0004826456.tif 000013
【図１３】
0004826456.tif 000014
【図１４】
0004826456.tif 000015
【図１５】
0004826456.tif 000016
【図１６】
0004826456.tif 000017
【図１７】
0004826456.tif 000018
【図１８】
0004826456.tif 000019
【図１９】
0004826456.tif 000020
【図２０】
0004826456.tif 000021
【図２１】
0004826456.tif 000022
【図２２】
0004826456.tif 000023
【図２３】
0004826456.tif 000024
【図２４】
0004826456.tif 000025
【図２５】
0004826456.tif 000026
【図２６】
0004826456.tif 000027
【図２７】
0004826456.tif 000028
【図２８】
0004826456.tif 000029
【図２９】
0004826456.tif 000030
【図３０】
0004826456.tif 000031
【図３１】
0004826456.tif 000032
【図３２】
0004826456.tif 000033
【図３３】
0004826456.tif 000034
【図３４】
0004826456.tif 000035
【図３５】
0004826456.tif 000036
【図３６】
0004826456.tif 000037
【図３７】
0004826456.tif 000038